【手続補正書】
【提出日】平成17年1月13日(2005.1.13)
【手続補正１】
【補正対象書類名】明細書
【補正対象項目名】特許請求の範囲
【補正方法】変更
【補正の内容】
【特許請求の範囲】
【請求項１】
生体組織への刺激形式に応じて刺激波を加える刺激装置において、
複数の刺激形式を設定する刺激設定手段と、
前記刺激設定手段により設定された刺激形式の刺激波によって生体組織を刺激する刺激手段と、
前記複数の刺激形式を表示する表示手段と、
前記複数の刺激形式の中から、再刺激を行う刺激形式を選択する再刺激形式選択手段と、
を具備し、
前記再刺激形式選択手段により選択された刺激形式の刺激波が、前記刺激手段により生体組織を刺激するように構成してなる生体刺激装置。
【請求項２】
生体組織への刺激形式に応じて刺激波を加える刺激装置において、
複数の刺激形式を設定する刺激設定手段と、
前記刺激設定手段により設定された刺激形式の刺激波によって生体組織を刺激する刺激手段と、
前記複数の刺激形式と各々の刺激についてのコメントとを入力可能に表示する表示手段と、
入力された前記コメントを参照して、前記複数の刺激形式の中から、再刺激を行う刺激形式を選択する再刺激形式選択手段と、
を具備し、
前記再刺激形式選択手段により選択された刺激形式の刺激波が、前記刺激手段により生体組織を刺激するように構成してなる生体刺激装置。
【請求項３】
刺激形式に応じて連続するパルス状の電気刺激波を、電極カテーテルを通じて心臓へ加える心臓刺激検査装置において、
複数の刺激形式を設定する刺激設定手段と、
前記刺激設定手段により設定された刺激形式の電気刺激波を前記電極カテーテルを通して心臓に刺激する心臓刺激手段と、
前記複数の刺激形式を表示する表示手段と、
前記複数の刺激形式の中から再刺激を行う刺激形式を選択する再刺激形式選択手段と、
を具備し、
前記再刺激形式選択手段により選択された刺激形式の電気刺激波を、前記電極カテーテルを通じて、前記心臓刺激手段により心臓に刺激するように構成してなる心臓刺激検査装置。
【請求項４】
刺激形式に応じて連続するパルス状の電気刺激波を、電極カテーテルを通じて心臓へ加える心臓刺激検査装置において、
複数の刺激形式を設定する刺激設定手段と、
前記刺激設定手段により設定された刺激形式の電気刺激波を前記電極カテーテルを通じて心臓に刺激する心臓刺激手段と、
前記複数の刺激形式と各々の刺激についてのコメントとを入力可能に表示する表示手段と、
入力された前記コメントを参照にして、前記複数の刺激形式の中から、再刺激を行う刺激形式を選択する再刺激形式選択手段と、
を具備し、
前記再刺激形式選択手段により選択された刺激形式の電気刺激波を、前記電極カテーテルを通じて、前記心臓刺激手段により心臓に刺激するように構成してなる心臓刺激検査装置。
【請求項５】
刺激形式に応じて連続するパルス状の電気刺激波を、電極カテーテルを通じて心臓へ加えると共に、前記電極カテーテルに誘発された心内心電図を出力する心臓刺激検査装置において、
複数の刺激形式を設定する刺激設定手段と、
前記刺激設定手段により設定された刺激形式の電気刺激波を前記電極カテーテルを通じて心臓に刺激する心臓刺激手段と、
前記心内心電図および前記複数の刺激形式を表示する表示手段と、
前記複数の刺激形式の中から、再刺激を行う刺激形式を選択する再刺激形式選択手段と、
を具備し、
前記再刺激形式選択手段により選択された刺激形式の電気刺激波を、前記電極カテーテルを通して、前記心臓刺激手段により心臓に刺激するように構成してなる心臓刺激検査装置。
【請求項６】
刺激形式に応じて連続するパルス状の電気刺激波を、電極カテーテルを通じて心臓へ加えると共に、前記電極カテーテルに誘発された心内心電図を出力する心臓刺激検査装置において、
複数の刺激形式を設定する刺激設定手段と、
前記刺激設定手段により設定された刺激形式の電気刺激波を前記電極カテーテルを通じて心臓に刺激する心臓刺激手段と、
前記心内心電図、前記複数の刺激形式および、前記各々の刺激についてのコメントを入力可能に表示する表示手段と、
入力された前記コメントを参照して、前記複数の刺激形式の中から、再刺激を行う刺激形式を選択する再刺激形式選択手段と、
を具備し、
前記再刺激形式選択手段により選択された刺激形式の電気刺激波を、前記電極カテーテルを通じて、前記心臓刺激手段により心臓に刺激するように構成してなる心臓刺激検査装置。
【請求項７】
刺激形式に応じて連続するパルス状の電気刺激波を、電極カテーテルを通じて心臓へ加える心臓刺激検査装置において、
心臓検査を行うために心臓検査種別によって予め設定される複数の刺激形式を設定する刺激設定手段と、
前記刺激設定手段により設定された刺激形式の電気刺激波を前記電極カテーテルを通じて心臓に刺激する心臓刺激手段と、
前記複数の刺激形式を表示する表示手段と、
前記複数の刺激形式の中から、再刺激を行う刺激形式を選択する再刺激形式選択手段と、を具備し、
前記再刺激形式選択手段により選択された刺激形式の電気刺激波を、前記電極カテーテルを通じて、前記心臓刺激手段により心臓に刺激するように構成してなる心臓刺激検査装置。
【請求項８】
刺激形式に応じて連続するパルス状の電気刺激波を、電極カテーテルを通じて心臓へ加える心臓刺激検査装置において、
心臓検査を行うために心臓検査種別によって予め設定される複数の刺激形式を設定する刺激設定手段と、
前記刺激設定手段により設定された刺激形式の電気刺激波を前記電極カテーテルを通じて心臓に刺激する心臓刺激手段と、
前記複数の刺激形式と各々の刺激についてのコメントを入力可能に表示する表示手段と、
入力された前記コメントを参照にして、前記複数の刺激形式の中から、再刺激を行う刺激形式を選択する再刺激形式選択手段と、
を具備し、
前記再刺激形式選択手段により選択された刺激形式の電気刺激波を、前記電極カテーテルを通じて、前記心臓刺激手段により心臓に刺激するように構成してなる心臓刺激検査装置。
【請求項９】
刺激形式に応じて連続するパルス状の電気刺激波を、電極カテーテルを通じて心臓へ加えると共に、前記電極カテーテルに誘発された心内心電図を出力する心臓刺激検査装置において、
心臓検査を行うために心臓検査種別によって予め設定される複数の刺激形式を設定する刺激設定手段と、
前記刺激設定手段により設定された刺激形式の電気刺激波を前記電極カテーテルを通じて心臓に刺激する心臓刺激手段と、
前記心内心電図および前記複数の刺激形式を表示する表示手段と、
前記複数の刺激形式の中から、再刺激を行う刺激形式を選択する再刺激形式選択手段と、を具備し、
前記再刺激形式選択手段により選択された刺激形式の電気刺激波を、前記電極カテーテルを通じて、前記心臓刺激手段により心臓に刺激するように構成してなる心臓刺激検査装置。
【請求項１０】
刺激形式に応じて連続するパルス状の電気刺激波を、電極カテーテルを通じて心臓へ加えると共に、前記電極カテーテルに誘発された心内心電図を出力する心臓刺激検査装置において、
心臓検査を行うために心臓検査種別によって予め設定される複数の刺激形式を設定する刺激設定手段と、
前記刺激設定手段により設定された刺激形式の電気刺激波を前記電極カテーテルを通じて心臓に刺激する心臓刺激手段と、
前記心内心電図および前記複数の刺激形式と各々の刺激についてのコメントとを入力可能に表示する表示手段と、
入力された前記コメントを参照にして、前記複数の刺激形式の中から、再刺激を行う刺激形式を選択する再刺激形式選択手段と、
を具備し、
前記再刺激形式選択手段により選択された刺激形式の電気刺激波を、前記電極カテーテルを通じて、前記心臓刺激手段により心臓に刺激するように構成してなる心臓刺激検査装置。
【手続補正２】
【補正対象書類名】明細書
【補正対象項目名】０００５
【補正方法】変更
【補正の内容】
【０００５】
【課題を解決するための手段】
本発明に係る生体刺激装置は、請求項１に記載したように、生体組織への刺激形式に応じて刺激波を加える刺激装置において、複数の刺激形式を設定する刺激設定手段と、前記刺激設定手段により設定された刺激形式の刺激波によって生体組織を刺激する刺激手段と、前記複数の刺激形式を表示する表示手段と、前記複数の刺激形式の中から、再刺激を行う刺激形式を選択する再刺激形式選択手段と、を具備し、前記再刺激形式選択手段により選択された刺激形式の刺激波が、前記刺激手段により生体組織を刺激するように構成してなることを特徴としている。
これによって、複数の刺激形式の刺激波を生体組織に与え、生体組織に与えた反応の様子から、再度刺激したい刺激形式の刺激波を設定し、設定した刺激波で生体組織に刺激を与えることができる。
【手続補正３】
【補正対象書類名】明細書
【補正対象項目名】０００６
【補正方法】変更
【補正の内容】
【０００６】
また、本発明に係る生体刺激装置は、請求項２に記載したように、生体組織への刺激形式に応じて刺激波を加える刺激装置において、複数の刺激形式を設定する刺激設定手段と、前記刺激設定手段により設定された刺激形式の刺激波によって生体組織を刺激する刺激手段と、前記複数の刺激形式と各々の刺激についてのコメントとを入力可能に表示する表示手段と、入力された前記コメントを参照して、前記複数の刺激形式の中から、再刺激を行う刺激形式を選択する再刺激形式選択手段と、を具備し、前記再刺激形式選択手段により選択された刺激形式の刺激波が、前記刺激手段により生体組織を刺激するように構成してなることを特徴とする。
これによって、複数の刺激形式の刺激波を生体組織に与え、その際の反応の様子をコメントとして入力でき、入力したコメントを参照して、再度刺激したい刺激形式の刺激波を設定し、設定した刺激波で生体組織に刺激を与えることができる。
【手続補正４】
【補正対象書類名】明細書
【補正対象項目名】０００７
【補正方法】変更
【補正の内容】
【０００７】
また、本発明に係る心臓刺激検査装置は、請求項３に記載したように、刺激形式に応じて連続するパルス状の電気刺激波を、電極カテーテルを通じて心臓へ加える心臓刺激検査装置において、複数の刺激形式を設定する刺激設定手段と、前記刺激設定手段により設定された刺激形式の電気刺激波を前記電極カテーテルを通して心臓に刺激する心臓刺激手段と、前記複数の刺激形式を表示する表示手段と、前記複数の刺激形式の中から再刺激を行う刺激形式を選択する再刺激形式選択手段と、を具備し、前記再刺激形式選択手段により選択された刺激形式の電気刺激波を、前記電極カテーテルを通じて、前記心臓刺激手段により心臓に刺激するように構成してなることを特徴とする。
これによって、複数の刺激形式の電気刺激波を心臓に与え、その際の反応の様子から、再度刺激したい刺激形式の電気刺激波を設定し、設定した刺激波で心臓に刺激を与えることができる。
【手続補正５】
【補正対象書類名】明細書
【補正対象項目名】０００８
【補正方法】変更
【補正の内容】
【０００８】
また、本発明に係る心臓刺激検査装置は、請求項４に記載したように、刺激形式に応じて連続するパルス状の電気刺激波を、電極カテーテルを通じて心臓へ加える心臓刺激検査装置において、複数の刺激形式を設定する刺激設定手段と、前記刺激設定手段により設定された刺激形式の電気刺激波を前記電極カテーテルを通じて心臓に刺激する心臓刺激手段と、前記複数の刺激形式と各々の刺激についてのコメントとを入力可能に表示する表示手段と、入力された前記コメントを参照にして、前記複数の刺激形式の中から、再刺激を行う刺激形式を選択する再刺激形式選択手段と、を具備し、前記再刺激形式選択手段により選択された刺激形式の電気刺激波を、前記電極カテーテルを通じて、前記心臓刺激手段により心臓に刺激するように構成してなることを特徴とする。
これによって、複数の電気刺激形式の刺激波を生体組織に与え、その際の反応の様子をコメントとして入力でき、入力したコメントを参照して、再度刺激したい刺激形式の電気刺激波を設定し、設定した刺激波を与えて心臓に刺激することができる。
【手続補正６】
【補正対象書類名】明細書
【補正対象項目名】０００９
【補正方法】変更
【補正の内容】
【０００９】
また、本発明に係る心臓刺激検査装置は、請求項５に記載したように、刺激形式に応じて連続するパルス状の電気刺激波を、電極カテーテルを通じて心臓へ加えると共に、前記電極カテーテルに誘発された心内心電図を出力する心臓刺激検査装置において、複数の刺激形式を設定する刺激設定手段と、
前記刺激設定手段により設定された刺激形式の電気刺激波を前記電極カテーテルを通じて心臓に刺激する心臓刺激手段と、前記心内心電図および前記複数の刺激形式を表示する表示手段と、前記複数の刺激形式の中から、再刺激を行う刺激形式を選択する再刺激形式選択手段と、を具備し、前記再刺激形式選択手段により選択された刺激形式の電気刺激波を、前記電極カテーテルを通して、前記心臓刺激手段により心臓に刺激するように構成してなることを特徴とする。
これによって、複数の刺激形式の電気刺激波を心臓に与え、その際の反応を心内心電図で捉え、再度刺激したい刺激形式の電気刺激波を設定し、設定した刺激波を心臓に与えて刺激することができる。
【手続補正７】
【補正対象書類名】明細書
【補正対象項目名】００１０
【補正方法】変更
【補正の内容】
【００１０】
また、本発明に係る心臓刺激検査装置は、請求項６に記載したように、刺激形式に応じて連続するパルス状の電気刺激波を、電極カテーテルを通じて心臓へ加えると共に、前記電極カテーテルに誘発された心内心電図を出力する心臓刺激検査装置において、複数の刺激形式を設定する刺激設定手段と、前記刺激設定手段により設定された刺激形式の電気刺激波を前記電極カテーテルを通じて心臓に刺激する心臓刺激手段と、前記心内心電図、前記複数の刺激形式および、前記各々の刺激についてのコメントを入力可能に表示する表示手段と、入力された前記コメントを参照して、前記複数の刺激形式の中から、再刺激を行う刺激形式を選択する再刺激形式選択手段と、を具備し、前記再刺激形式選択手段により選択された刺激形式の電気刺激波を、前記電極カテーテルを通じて、前記心臓刺激手段により心臓に刺激するように構成してなることを特徴とする。
これによって、複数の電気刺激形式の刺激波を心臓に与え、その際の反応を心内心電図として捉え、それについてコメントとして入力し、入力したコメントを参照して、再度刺激したい刺激形式の電気刺激波を設定し、設定した刺激波を心臓に与えて刺激することができる。
【手続補正８】
【補正対象書類名】明細書
【補正対象項目名】００１１
【補正方法】変更
【補正の内容】
【００１１】
また、本発明に係る心臓刺激検査装置は、請求項７に記載したように、刺激形式に応じて連続するパルス状の電気刺激波を、電極カテーテルを通じて心臓へ加える心臓刺激検査装置において、心臓検査を行うために心臓検査種別によって予め設定される複数の刺激形式を設定する刺激設定手段と、前記刺激設定手段により設定された刺激形式の電気刺激波を前記電極カテーテルを通じて心臓に刺激する心臓刺激手段と、前記複数の刺激形式を表示する表示手段と、前記複数の刺激形式の中から、再刺激を行う刺激形式を選択する再刺激形式選択手段と、を具備し、前記再刺激形式選択手段により選択された刺激形式の電気刺激波を、前記電極カテーテルを通じて、前記心臓刺激手段により心臓に刺激するように構成してなることを特徴とする。
これによって、心臓検査を行うために心臓検査種別によって予め複数の刺激形式の電気刺激波が設定されるようになっており、選択された心臓検査種別の複数の刺激形式の電気刺激波に対する反応の様子から、再度刺激したい刺激形式の電気刺激波を設定し、設定した刺激波で心臓に刺激を与えることができる。
【手続補正９】
【補正対象書類名】明細書
【補正対象項目名】００１２
【補正方法】変更
【補正の内容】
【００１２】
また、本発明に係る心臓刺激検査装置は、請求項８に記載したように、刺激形式に応じて連続するパルス状の電気刺激波を、電極カテーテルを通じて心臓へ加える心臓刺激検査装置において、心臓検査を行うために心臓検査種別によって予め設定される複数の刺激形式を設定する刺激設定手段と、前記刺激設定手段により設定された刺激形式の電気刺激波を前記電極カテーテルを通じて心臓に刺激する心臓刺激手段と、前記複数の刺激形式と各々の刺激についてのコメントを入力可能に表示する表示手段と、入力された前記コメントを参照にして、前記複数の刺激形式の中から、再刺激を行う刺激形式を選択する再刺激形式選択手段と、を具備し、前記再刺激形式選択手段により選択された刺激形式の電気刺激波を、前記電極カテーテルを通じて、前記心臓刺激手段により心臓に刺激するように構成してなることを特徴とする。
これによって、心臓検査を行うために心臓検査種別によって予め複数の刺激形式の電気刺激波が設定されるようになっており、選択された心臓検査種別の複数の刺激形式の電気刺激波に対する反応をコメントとして入力でき、そのコメントを参照にして、再度刺激したい刺激形式の電気刺激波を設定し心臓に刺激することができる。
【手続補正１０】
【補正対象書類名】明細書
【補正対象項目名】００１３
【補正方法】変更
【補正の内容】
【００１３】
また、本発明に係る心臓刺激検査装置は、請求項９に記載したように、刺激形式に応じて連続するパルス状の電気刺激波を、電極カテーテルを通じて心臓へ加えると共に、前記電極カテーテルに誘発された心内心電図を出力する心臓刺激検査装置において、心臓検査を行うために心臓検査種別によって予め設定される複数の刺激形式を設定する刺激設定手段と、前記刺激設定手段により設定された刺激形式の電気刺激波を前記電極カテーテルを通じて心臓に刺激する心臓刺激手段と、前記心内心電図および前記複数の刺激形式を表示する表示手段と、前記複数の刺激形式の中から、再刺激を行う刺激形式を選択する再刺激形式選択手段と、を具備し、前記再刺激形式選択手段により選択された刺激形式の電気刺激波を、前記電極カテーテルを通じて、前記心臓刺激手段により心臓に刺激するように構成してなることを特徴とする。
これによって、心臓検査を行うために心臓検査種別によって予め複数の刺激形式の電気刺激波が設定されるようになっており、選択された心臓検査種別の複数の刺激形式の電気刺激波に対する反応の様子を心内心電図で捉え、再度刺激したい刺激形式の電気刺激波を設定し、設定した刺激波を心臓に与えて刺激することができる。
【手続補正１１】
【補正対象書類名】明細書
【補正対象項目名】００１４
【補正方法】変更
【補正の内容】
【００１４】
また、本発明に係る心臓刺激検査装置は、請求項１０に記載したように、刺激形式に応じて連続するパルス状の電気刺激波を、電極カテーテルを通じて心臓へ加えると共に、前記電極カテーテルに誘発された心内心電図を出力する心臓刺激検査装置において、心臓検査を行うために心臓検査種別によって予め設定される複数の刺激形式を設定する刺激設定手段と、前記刺激設定手段により設定された刺激形式の電気刺激波を前記電極カテーテルを通じて心臓に刺激する心臓刺激手段と、前記心内心電図および前記複数の刺激形式と各々の刺激についてのコメントとを入力可能に表示する表示手段と、入力された前記コメントを参照にして、前記複数の刺激形式の中から、再刺激を行う刺激形式を選択する再刺激形式選択手段と、を具備し、前記再刺激形式選択手段により選択された刺激形式の電気刺激波を、前記電極カテーテルを通じて、前記心臓刺激手段により心臓に刺激するように構成してなることを特徴とする。
これによって、心臓検査を行うために心臓検査種別によって予め複数の刺激形式の電気刺激波が設定されるようになっており、選択された心臓検査種別の複数の刺激形式の電気刺激波に対する反応を心内心電図で捉えてコメントとして入力てき、そのコメントを参照にして、再度刺激したい刺激形式の電気刺激波を設定し、設定した刺激波を心臓に与えて刺激することができる。